(57)【要約】【課題】魚介類の冷凍保管用容器において使用するに際して、当該冷凍保管用容器の剛性を高めて、中の魚介類の保護をも十分かつ容易に行え、表示作業も簡単にできるようにすること。【解決手段】底面１１と、これから立ち上がる側壁１２と、これらの側壁１２に連結した小蓋１３とを備えた冷凍保管用容器１０内に収納される蓋体２０であって、平板状の基板２１と、これに対して折曲されて、各側壁１２の内面と略同じ大きさを有して互いに対向することになる少なくとも一対の脚板２２とを備えたこと。【選択図】図２
2006248551.tif 000002
【特許請求の範囲】
【請求項１】
底面と、これから立ち上がる側壁と、これらの側壁に連結した小蓋とを備えた冷凍保管用容器内に収納される蓋体であって、
平板状の基板と、これに対して折曲されて、前記各側壁の内面と略同じ大きさを有して互いに対向することになる少なくとも一対の脚板とを備えたことを特徴とする蓋体。
【請求項２】
前記基板に、内部の視認を行うことのできる覗き窓を形成したことを特徴とする請求項１に記載の蓋体。
【請求項３】
前記基板に、前記側壁上の凹部内に収納される突出部を形成して、この突出部を、前記冷凍保管用容器側の凹部内に収納して係合させ得るようにしたことを特徴とする請求項１または請求項２に記載の蓋体。
【発明の詳細な説明】
【技術分野】
【０００１】
本発明は、保管用容器に使用される蓋体に関し、特に、保管用容器が魚介類を冷凍して運搬や保管するために使用される場合の蓋体に関するものである。
【背景技術】
【０００２】
港に水揚げされたサンマ等を代表とする魚介類は、そのままでは傷むため、一旦容器に一定量収納してから全体を冷凍することにより、運搬や保管される。そのための容器としては、所謂木箱や発泡スチロール製容器が一般に使用されている。
【０００３】
このような従来の木箱や発泡スチロールの箱は、形が一定で、魚介類が入っていようがいまいが外形の変化はない。このため、港に漁船が着くまでの間は、この木箱や発泡スチロール製の箱を港に山積みしておかなければならないから大きな設置スペースが必要であるし、魚屋等の小売店で魚介類が販売され終わった時点でも、これらの魚箱は大きな場所を占めるため始末に困るものとなっているのである。
【０００４】
また、従来の木箱や発泡スチロールの箱は、内容物や産地等を表示するために、その側面に印刷や刻設、あるいはラベルの貼付等といった手段を採らなければならない。つまり、木箱であれば、側面を構成する木の板に直接印刷作業や刻設作業をしてから組立て、発泡スチロールであれば、成形後の嵩張るものにラベル等の貼付作業が必要になっていただけでなく、そのような後加工のための加工スペースも要していたのである。このような「表示」のための作業は、非常に煩雑になっていたのである。
【０００５】
そこで、近年では、魚介類を入れていないときには、例えば特許文献１にて、折り畳んだり平らな状態にできるようにしたり、空の場合の積み重ねができるようにした魚箱が提案されている。
【特許文献１】特開２００２−２６４９１９号公報、要約、代表図、段落００３６〜同００４０
【発明の開示】
【発明が解決しようとする課題】
【０００６】
特許文献１に記載されている「包装用容器」は、「容器本体の組立性を良好にし、積み重ねた容器本体のずれ移動を防止するとともに蓋板を容器本体の上面開口部に容易に保持できる」ようにすることを目的として、図８及び図９に示すように、「容器本体１の両側板25は、底板部９の両側辺縁から折り曲げた外面側板部11と、両外面側板部11の上側縁12から両外面側板部11の内側に折り曲げた両内面側板部13とにて形成する。両内面側板部13の下端部に形成した内側係合突部14を底板部９の両側辺縁に沿って形成した挿通孔10に挿通して突出し、両外面側板部11の下端部に形成した外側係合突部14を内側係合突部15と重合する。」ように構成したものである。
【０００７】
そして、この特許文献１に記載されている「包装用容器」では、「蓋板５」が採用されており、この「蓋板５」は、「蓋板部50と、蓋板部50の両側辺縁51から下方に折り曲げ両内面側板部11の内面に当接する折り込み片部52とを有する。蓋板部50の両側辺部に積み重ねた容器本体１の両内面側板部13の係合突部15を係合する係合凹部53を形成する」という構成を有したものである。
【０００８】
しかしながら、この特許文献１の「蓋板５」は、当該文献の段落００３６〜同００４０に記載されているように、「蓋板５は、前記容器本体１の上面開口面を閉じる矩形状の蓋板部50と、この蓋板部50の相対する両側辺縁51より前記容器本体１の上縁部12の厚み寸法分内側からそれぞれ下方に向かって切り起し形成した折り込み片部52が左右に設けられ、この折り込み片部52は前記容器本体１の両内面側板部13の内面に接される。この左右の折り込み片部52の外側端部は前記容器本体１の各係合突部14，15の外端位置と同一位置となるようにし、また、この折り込み片部52の左右方向の長さは前記容器本体１の各係合突部14，15の幅より長く形成し、この折り込み片部52は前記容器本体１の両内面側板部13の内面に接触される部分を長くする」（段落００３６）ものであり、「鮭等の収納物を収容した容器本体１に蓋板５を被せ、この蓋板５の蓋板部50にて容器本体１の上面開口面を閉じるとともに、この蓋板５の両折り込み片部52が拡がり復元力で連結片部54の部分から容器本体１の両側板25すなわち両内面側板部13の内面に当接され、蓋板部50は容器本体１を閉塞した状態に保持されるとともに、両折り込み片部52の外端部は容器本体１の両端部板部34に当接されて、蓋板５が容器本体１の左右方向に移動することがない」（段落００３９）ものである。
【０００９】
つまり、この特許文献１の「蓋板５」は、「蓋板５は両折り込み片部52が容器本体１の両内面側板部13の内面に当接されて保持される」（段落００４０）ものであるため、この「蓋体５」上に力が加わった場合に「鮭」を押さえる下方への力を支えることができないと考えられる。換言すれば、この「蓋体５」上に力が加わった場合に「鮭」を押し潰してしまい、鮭の商品価値を著しく低下させる可能性があると考えられるのである。
【００１０】
また、この特許文献１の「蓋体」では、収納した鮭を上から完全に覆ってしまうため、セリに掛けるときにこの鮭の様子・鮮度をチェックする場合には、この蓋体を外さなければならないものとなっている。
【００１１】
そこで、本発明者等は、魚介類の冷凍保管用容器において使用される蓋体について、これで覆った魚介類の保護を十分行うことができる蓋体とするにはどうしたらよいか、について種々検討を重ねてきた結果、本発明を完成したのである。
【００１２】
すなわち、請求項１に係る発明の目的とするところは、魚介類の冷凍保管用容器において使用するに際して、当該冷凍保管用容器の剛性を高めて、中の魚介類の保護をも十分かつ容易に行うことができ、表示のための印刷も簡単に行える蓋体を、簡単な構成によって提供することにある。また、請求項２に係る発明の目的とするところは、上記請求項１の発明と同様な目的を達成することができる他、魚介類の外部からのチェックを簡単に行うことができる蓋体を提供することにあり、請求項３に係る発明の目的とするところは、上記請求項１及び請求項２の発明と同様な目的を達成することができる他、冷凍保管用容器側への支持を確実に行うことのできる蓋体を提供することにある。
【課題を解決するための手段】
【００１３】
以上の課題を解決するために、まず、請求項１に係る発明の採った手段は、後述する最良の形態の説明中において使用する符号を付して説明すると、
「底面１１と、これから立ち上がる側壁１２と、これらの側壁１２に連結した小蓋１３とを備えた冷凍保管用容器１０内に収納される蓋体２０であって、
平板状の基板２１と、これに対して折曲されて、各側壁１２の内面と略同じ大きさを有して互いに対向することになる少なくとも一対の脚板２２とを備えたことを特徴とする蓋体２０」
である。
【００１４】
すなわち、この蓋体２０は、これとは独立して形成された例えば後述する冷凍保管用容器１０について、図１に示すようにして使用されるものであるが、この蓋体２０は、当該冷凍保管用容器１０内に入れる前は、図２に示すような状態の平面的なものとなっている。つまりこの蓋体２０は、後述する冷凍保管用容器１０に付設して使用されるものであり、冷凍保管用容器１０の機能をさらに向上させるものである。
【００１５】
この蓋体２０は、紙や合成樹脂を材料として、図２に示したような平面的なものに形成されるものであり、基板２１と、これに対して折曲されて、冷凍保管用容器１０の各側壁１２の内面と略同じ大きさを有して互いに対向することになる少なくとも一対の脚板２２とからなるものであるが、使用する前では、図２に示すような平板状のものである。このため、使用する前の蓋体２０は、デッドスペースを発生させることなく、大量に積み重ねておくことができるものとなっている。
【００１６】
勿論、この蓋体２０は、上述したように、紙や合成樹脂を材料として、図２に示したような平面的なものに形成されるものであるから、図１に示すような印刷２５は、これに予め簡単に行っておけるものである。つまり、この蓋体２０では、従来の木箱や発泡スチロールの箱において必要であった、内容物や産地等の表示をするための印刷や刻設、あるいはラベルの貼付等といった後加工作業や加工スペースが殆ど不要になっているのである。
【００１７】
この蓋体２０を使用するには、まず、各脚板２２を折線２２ａにて同一方向に折り込み、これらの各脚板２２を、魚介類が収納されて小蓋１３が折り込まれていない冷凍保管用容器１０の各側壁１２の内側に差し込むのである。この脚板２２は、各側壁１２の内面と略同じ大きさを有しているから、その下端面が底面１１上に当接することになり、かつ当該蓋体２０は小蓋１３の下側に位置し得るとともに、魚介類を囲みながら冷凍保管用容器１０内に収納されることになる。その後は、後述する冷凍保管用容器１０について、その小蓋１３をヒンジ１４を介して折り込み、各係合突起１３ａ・１８ａを利用して固定するのである。
【００１８】
以上の結果、この請求項１に係る蓋体２０は、冷凍保管用容器１０上を覆えるものとなるから、冷凍保管用容器１０内に収納した魚介類の保護ができる。それだけでなく、この蓋体２０は、冷凍保管用容器１０の各側壁１２の内面と略同じ大きさを有してこれに対向する脚板２２によって、当該蓋体２０の基板２１上に置かれた物、あるいは当該蓋体２０が使用されている冷凍保管用容器１０上に載置される別の冷凍保管用容器１０等からの重力を支えることになり、結果的に、当該蓋体２０を使用した冷凍保管用容器１０の剛性を高めることになる。
【００１９】
なお、冷凍保管用容器１０を透明または半透明の合成樹脂材料によって形成した場合に、この蓋体２０の脚板２２に文字等の印刷２５をしておけば、この印刷２５は、図１に示すように外部から透視できるようになり、当該冷凍保管用容器１０内の魚介類の産地表示や内容物表示を明確に行うことができる。
【００２０】
従って、この請求項１に係る蓋体２０は、魚介類の冷凍保管用容器１０において使用するに際して、この冷凍保管用容器１０の剛性を高めるとともに、中の魚介類の保護を十分かつ容易に行うことができるものとなっているのである。
【００２１】
また、請求項２に係る発明の採った手段は、上記請求項１に記載の蓋体２０について、
「基板２１に、内部の視認を行うことのできる覗き窓２４を形成したこと」
である。
【００２２】
すなわち、この請求項２に係る蓋体２０は、図１及び図２に示すように、その基板２１に覗き窓２４を形成したものであるが、ここで使用している冷凍保管用容器１０の小蓋１３を外すことによってこの覗き窓２４から魚介類の状態を、蓋体２０を外さないまま外部から視認することができる。この場合、冷凍保管用容器１０を透明または半透明の合成樹脂材料によって形成した場合には、上述した印刷２５と同様に、小蓋１３を通して魚介類の状態を外部から、当該蓋体２０の取り外し等の開封操作を一切行わないで実行できる。
【００２３】
従って、この請求項２の蓋体２０は、上記請求項１のそれと同様な機能を発揮する他、覗き窓２４の存在によって、魚介類の状態確認を外部から簡単に行うことができるものとなっているのである。
【００２４】
上記課題を解決するために、請求項３に係る発明の採った手段は、上記請求項１または請求項２に記載の蓋体２０について、
「蓋体２０の基板２１に側壁１２上の凹部１９内に収納される突出部２３を形成して、この突出部２３を、冷凍保管用容器１０側の凹部１９内に収納して係合させ得るようにしたこと」
である。
【００２５】
すなわち、この請求項３の蓋体２０は、その基板２１に、冷凍保管用容器１０側の側壁１２上の凹部１９内に収納される突出部２３を形成したものであり、これら各突出部２３は、図１に示すように、冷凍保管用容器１０側の各凹部１９内に収められることになる。
【００２６】
これにより、各突出部２３によって、冷凍保管用容器１０の側壁１２と蓋体２０との間に形成されていた隙間が埋められるとともに、各脚板２２とともに冷凍保管用容器１０に対する支えともなるから、冷凍保管用容器１０全体の剛性を高くすることになる。
【００２７】
従って、この請求項３に係る蓋体２０は、上記請求項１または２のそれと同様な機能を発揮する他、魚介類の保護と、冷凍保管用容器１０全体の剛性をさらに向上させ得るものとなっている。
【００２８】
次に、本発明とは直接関係はないが、本発明の蓋体２０が使用される冷凍保管用容器１０について説明すると、この冷凍保管用容器１０は、底面１１と、これから立ち上がる側壁１２と、この側壁１２に連結した小蓋１３とを備えて、これらの内側に魚介類を収納するための収納空間Ｒを形成したものである。そして、この冷凍保管用容器１０は、その底面１１に、図３に示すように、収納空間Ｒ内に膨出する枕部１５を形成するとともに、小蓋１３に、底面１１の一部を嵌合し得る嵌合凹所１６を形成したものである。
【００２９】
また、この魚介類の冷凍保管用容器１０は、合成樹脂シートを真空または圧空成形することにより形成したものであり、これによって、全体の熱伝導率を良好にして、魚介類の冷凍を当該冷凍保管用容器１０内に入れたまま行う際の、冷凍時間短縮と、省エネ効果を図ったものである。また、この冷凍保管用容器１０では、側壁１２の少なくとも一つについてヒンジ１４を介して連結した小蓋１３とを備えたものとして形成したものである。
【００３０】
つまり、この魚介類の冷凍保管用容器１０は、その収納空間Ｒ内に魚介類を収納する前では、図３〜図５に示すように、未だ各小蓋１３が閉じられていない略平らな状態になっているものであり、収納空間Ｒが完全に開いた状態になされている。このため、この冷凍保管用容器１０は、デッドスペースを殆ど生ずることなく大量に積み重ねておくことができるのであり、魚介類の水揚げがなされる港の僅かな部分に大量に設置あるいは保管しておくことができるのである。
【００３１】
ここで、港に漁船が着くと、水揚げされた魚介類を冷凍保管用容器１０に箱詰めしなければならないが、積み重ねて置いた各冷凍保管用容器１０を取り出してそれぞれに魚介類を投入するのである。冷凍保管用容器１０は、略平らな状態で積み重ねられていたのであるから、個別の取り出しは簡単に行えるのであり、次から次へと必要になる冷凍保管用容器１０の準備が簡単に行えるのである。各冷凍保管用容器１０について所定量の魚介類が投入された後には、後述する蓋体２０によって当該冷凍保管用容器１０内の魚介類を覆い、図１に示すように、その上に小蓋１３を被せるのである。
【００３２】
この各小蓋１３は、図３及び図４に示すように、当該冷凍保管用容器１０の側壁１２（後述する最良形態では、短辺側の側壁１２となる）に、ヒンジ１４を介して一体化されているため、このヒンジ１４を折りながら小蓋１３を冷凍保管用容器１０上に被せるのである。ヒンジ１４自体も合成樹脂シートによって他の部分と一体的に形成されているためこの折り込み作業は簡単にできるし、ヒンジ１４の存在によって、小蓋１３の冷凍保管用容器１０に対する位置合わせは簡単に行える。つまり、小蓋１３は、これを冷凍保管用容器１０の収納空間Ｒ上に折り込むだけで、その正しい位置になるものであり、結果的にこの冷凍保管用容器１０は、前述した引用文献１あるいは２におけるような複雑な折り加工は全く不要になっている。
【００３３】
なお、後述する最良形態では、この小蓋１３に係合突起１３ａが形成してあって、この係合突起１３ａは、冷凍保管用容器１０のスカート部１８に設けた係合突起１８ａに係合するようにしてあるため、折り込んだ小蓋１３の位置決め固定は、これらの係合突起１３ａ・１８ａによって簡単になされる。従って、この冷凍保管用容器１０内への魚介類の投入、及び小蓋１３による覆いは、短時間内に行うことができるのであり、魚介類の鮮度を保つ上で非常に有利になっている。
【００３４】
さて、この冷凍保管用容器１０では、図３及び図４に示すように、その底面１１に収納空間Ｒ内に膨出する枕部１５が形成してあった。この枕部１５は、当該冷凍保管用容器１０を合成樹脂シートにより一体成形するにあたって、底面１１の一部が嵌合凹所１６内に膨出するように形成したものであるから、その形成が簡単であるし、底面１１の剛性確保にも一役買っている。
【００３５】
また、この枕部１５の上端は、図４の右側部分にも示すように、底面１１の内面より相当高いから、この枕部１５上に頭を乗せるように浜上げされた魚を収納空間Ｒ内に収納すれば、魚の頭は底面１１上から相当高くなる。このため、魚から出た血を含む液汁が、魚のエラや口から再び侵入することはないのである。この液汁が魚体内に浸入しないということは、魚介類の鮮度を保つ上で、あるいは魚介類を魚臭くしないで済む点で非常に有効である。
【００３６】
一方、この魚介類の冷凍保管用容器１０では、前述した小蓋１３に底面１１の一部を嵌合し得る嵌合凹所１６が、図３、図６あるいは図７に示すように、形成してあった。この嵌合凹所１６は、当該冷凍保管用容器１０を合成樹脂シートにより一体成形するにあたって、小蓋１３の一部が膨出するように形成したものであるから、その形成が簡単であるし、小蓋１３の剛性確保にも一役買っている。
【００３７】
また、この嵌合凹所１６内には、図７に示すように、上側になる別の冷凍保管用容器１０の底面１１の一部が収納されるのであるが、上述したように、底面１１には枕部１５が形成してあってその外側になる底面１１の底面が、この嵌合凹所１６内に完全に入り込むのである。つまり、魚介類を入れた各冷凍保管用容器１０を積み重ねる際に、上側の底面１１の一部が、下側の冷凍保管用容器１０の当該嵌合凹所１６内に入るため、複数の冷凍保管用容器１０の積み重ねを安定させるのである。この嵌合凹所１６内へ底面１１の一部が完全に入り込むようにしているのも、上述した枕部１５の意味である。
【００３８】
従って、この冷凍保管用容器１０は、合成樹脂シートによって成形したものであっても、多段積みしたときに必要な十分な剛性を有するとともに互いに滑り落ちることがなく、しかも、液汁が魚介類に再び侵入しないように完全に分断あるいは分離することができるものとなっているのである。
【００３９】
さらに、この冷凍保管用容器１０については、その側壁１２の少なくとも一面について、その横断面が凹または凸のいずれか少なくとも一方が連続する凹凸面とするとともに、各側壁１２の上端にフランジ部１７を形成して、このフランジ部１７の外端にこれから垂下するスカート部１８を形成したものとされることもある。
【００４０】
すなわち、この冷凍保管用容器１０では、図３及び図４に示すように、側壁１２の少なくとも一面について、その横断面が凹または凸のいずれか少なくとも一方が連続する凹凸面としたものとなされる。この凹凸の連続は、波形や円弧を連続させたり、四角や三角を連続させたものであってもよく、その他種々な形状が考えられ、その幅（スパン）や凹凸の深さについても適宜選択して実施される。
【００４１】
このように、側壁１２の少なくとも一つについて凹凸が連続してあれば、当該側壁１２が、合成樹脂シートを真空または圧空成形して形成したものであっても、その剛性が高いものとなる。特に当該冷凍保管用容器１０を、一般的な形状である平面視四角形状の場合は、その効果が確実に高まる。
【００４２】
また、この冷凍保管用容器１０では、図１及び図３に示すように、各側壁１２の上端にフランジ部１７を形成するとともに、このフランジ部１７の外端にこれから垂下するスカート部１８が形成してある。これにより、当該冷凍保管用容器１０が合成樹脂シートを真空または圧空成形して形成したものであっても、これらのフランジ部１７及びスカート部１８が上述した凹凸とも協働して、冷凍保管用容器１０全体の剛性を高いものとしている。
【００４３】
従って、この冷凍保管用容器１０は、上記のそれと同様な機能を発揮するものとなる他、凹凸を形成した側壁１２の剛性が高くなり、引いてはこの凹凸とフランジ部１７及びスカート部１８の作用によって、全体の剛性が、より一層高いものとなっているのである。
【００４４】
さらに、この魚介類の冷凍保管用容器１０については、その側壁１２上のフランジ部１７及びこれに連続しているスカート部１８に対して、他の部分より低くなった凹部１９を形成して実施されることもある。
【００４５】
すなわち、この場合の冷凍保管用容器１０では、図１及び図４に示すように、側壁１２上のフランジ部１７及びこれに連続しているスカート部１８に対して、他の部分より低くなった凹部１９を形成したのであるが、この凹部１９は、複数設けておくのが好ましい。
【００４６】
この凹部１９は、上述したフランジ部１７及びスカート部１８の形状を複雑化するため、これらの剛性確保に役立つだけでなく、この凹部１９内に、後述する蓋体２０の突出部２３や、図１に示したしばりひも３０の挿入箇所として利用されるものである。なお、この凹部１９に対応する凸部を底面１１に形成しておくことにより、例えば、複数の冷凍保管用容器１０を９０°回転させた状態（例えば井桁積み）で積み上げる際の滑り止めを行うことができる。
【００４７】
従って、この冷凍保管用容器１０は、上記に説明したものと同様な機能を発揮する他、さらに剛性を高めたり、積み上げの際の積み上げ方式を変更できるものとし得ることになる。
【００４８】
そして、この魚介類の冷凍保管用容器１０については、その枕部１５の周囲に、底面１１の上面と同じ高さを有する液汁流路１１ａを形成して実施されることもある。
【００４９】
すなわち、このようにした冷凍保管用容器１０は、図３及び図４に示すように、上記枕部１５の周囲に、底面１１の上面と同じ高さを有する液汁流路１１ａを形成したものであるが、これにより、枕部１５が底面１１にて独立した山となって収納空間Ｒ内に突出することになる。このようになれば、この液汁流路１１ａにて魚介類に付着していた、あるいはこれから出た液汁が枕部１５以外の底面１１上を自由に流れ得るのであり、液汁は底面１１上に均等の深さで広がり得ることになる。
【００５０】
つまり、この冷凍保管用容器１０では、液汁がこの液汁流路１１ａを介して他の部分に流れ出たり流入してきたするのである。換言すれば、この液汁流路１１ａの存在によって、底面１１上の一部、例えば各枕部１５と側壁１２との間に大量に貯まることにはならないのであり、結果として魚介類内に液汁が浸入することはないのである。
【００５１】
従って、この冷凍保管用容器１０では、上記のそれと同様な機能を発揮する他、液汁の局所的な貯まりを防止できるものとなっているのである。
【００５２】
さらに、この魚介類の冷凍保管用容器１０については、上記収納空間Ｒ内に、基板２１と、これに対して折曲されて、各側壁１２の内面と略同じ大きさを有して互いに対向することになる少なくとも一対の脚板２２とからなる蓋体２０を収納するようにして実施されることもある。
【発明の効果】
【００５３】
以上、詳述した通り、本発明においては、
「底面１１と、これから立ち上がる側壁１２と、これらの側壁１２に連結した小蓋１３とを備えた冷凍保管用容器１０内に収納される蓋体２０であって、
平板状の基板２１と、これに対して折曲されて、各側壁１２の内面と略同じ大きさを有して互いに対向することになる少なくとも一対の脚板２２とを備えたこと」
にその構成上の特徴があり、これにより、魚介類の冷凍保管用容器１０において使用するに際して、当該冷凍保管用容器１０の剛性を高めて、中の魚介類の保護をも十分かつ容易に行うことができ、しかも印刷２５を予め行っておくことのできる蓋体２０を、簡単な構成によって提供することができるのである。
【発明を実施するための最良の形態】
【００５４】
次に、以上のように構成した各請求項に係る発明を、図面に示した最良の形態である蓋体２０について説明すると、図１には、この蓋体２０が収納された冷凍保管用容器１０の斜視図が示してある。
【００５５】
冷凍保管用容器１０は、合成樹脂シートを真空または圧空成形することにより形成したものである。本最良形態の場合には、合成樹脂シートとして、透明または半透明のものを採用して、後述する蓋体２０の印刷２５が冷凍保管用容器１０の側壁１２を通して外部から視認できたり、蓋体２０に形成してある覗き窓２４から冷凍保管用容器１０の小蓋１３を通して内部の魚介類の状態確認が行えるようにしている。
【００５６】
そして、この冷凍保管用容器１０は、合成樹脂シートによって、底面１１と、これから立ち上がる側壁１２と、これらの側壁１２の少なくとも一つについてヒンジ１４を介して連結した小蓋１３と、底面１１に形成されて、その内側に膨出する枕部１５と、小蓋１３に形成されて、他の冷凍保管用容器１０の底面１１の一部を嵌合し得る嵌合凹所１６とを備えたものとして形成したものであり、図３に示したように、その内側に魚介類を収納するための収納空間Ｒを形成するようにしたものである。
【００５７】
本最良形態の冷凍保管用容器１０では、平面視略四角形状にしたものであるが、そのコーナー部については、真空または圧空成形を良好にするためと、取り扱いがし易く、他のものに傷を付けないようにする意味で、丸味を帯びたものにしてある。また、この冷凍保管用容器１０の底である底面１１については、特許文献３または４に示されているような模様からなる凹凸を形成してもよいが、本最良形態では、単に複数の水切穴１１ｂを形成するようにしている。
【００５８】
そして、この冷凍保管用容器１０の底面１１の後述する枕部１５の周囲には、図３及び図４に示したように、底面１１の上面と同じ高さを有する液汁流路１１ａが形成してある。この液汁流路１１ａは、魚介類に付着していた、あるいはこれから出た液汁が枕部１５以外の底面１１上を自由に流れ得るようにするものであり、液汁を底面１１上に均等の深さで広けるものである。
【００５９】
つまり、この液汁流路１１ａは、その存在によって、底面１１上の一部、例えば各枕部１５と側壁１２との間に液汁が大量に貯まることを阻止するものであり、結果として、魚介類内に液汁を浸入させないようにするものである。
【００６０】
また、この冷凍保管用容器１０では、図３及び図４に示したように、側壁１２の少なくとも一面について、その横断面が凹または凸のいずれか少なくとも一方が連続する凹凸面としてある。この凹凸の連続は、波形や円弧を連続させたり、四角や三角を連続させたものであってもよく、その他種々な形状が考えられ、その幅（スパン）や凹凸の深さについても適宜選択して実施される。
【００６１】
さらに、この最良形態の冷凍保管用容器１０では、図１及び図３に示したように、各側壁１２の上端にフランジ部１７を形成するとともに、このフランジ部１７の外端にこれから垂下するスカート部１８が形成してある。これらのフランジ部１７及びスカート部１８は、当該冷凍保管用容器１０が合成樹脂シートを真空または圧空成形して形成したものであっても、これらのフランジ部１７及びスカート部１８が側壁１２上の凹凸とも協働して冷凍保管用容器１０全体の剛性を高いものとする。なお、本最良形態のスカート部１８には、合成樹脂シートを部分的に膨出させた係合突起１８ａが形成してあり、この係合突起１８ａには、後述する小蓋１３側の係合突起１３ａが強制嵌入されるものである。
【００６２】
当該冷凍保管用容器１０の短辺側を構成してる二つの側壁１２については、二つの小蓋１３がヒンジ１４を介して一体化してある。ヒンジ１４は、後述するスカート部１８の高さの約２倍の幅を有するものであり、各小蓋１３との連続部分には、折り込みを行う易くするための突条が形成してある。勿論、このヒンジ１４は、側壁１２に対して小蓋１３を連結するものであるから、図示した最良形態のような板状のものに限らず、例えば複数の「ひも状」のものとして実施してもよいものである。
【００６３】
各小蓋１３は、図１に示したように、収納空間Ｒの両側を部分的に覆うためのもので、図１及び図３に示したように、略環状の膨出突条を形成することにより、その中側に、他の冷凍保管用容器１０の底部を部分的に嵌合する嵌合凹所１６を形成したものである。なお、本最良形態の小蓋１３には、上述したスカート部１８側に形成しておいた係合突起１８ａに強制嵌入できる係合突起１３ａが形成してあり、この係合突起１３ａを係合突起１８ａに嵌入することにより、当該小蓋１３の側壁１２側に対する固定が行えるようにしてある。
【００６４】
また、この冷凍保管用容器１０では、図３及び図４に示したように、その底面１１に収納空間Ｒ内に膨出する枕部１５が形成してあった。この枕部１５の上端は、図４の右側部分にも示したように、底面１１の内面より相当高くしてあり、この枕部１５上に浜上げされた魚の頭を乗せるようにしてある。この枕部１５は、魚の頭を底面１１上から相当高くすることにより、魚から出た血を含む液汁が、魚のエラや口から再び侵入しないようにするものである。
【００６５】
以上の結果、この魚介類の冷凍保管用容器１０は、その収納空間Ｒ内に魚介類を収納する前では、各小蓋１３を閉じないで完全に開いた状態になされて、図３〜図５に示したように、略平らな状態になっているものであり、これに対して魚介類を収納した後には、その収納空間Ｒ内に蓋体２０が入れられて各小蓋１３が閉じられるものである。
【００６６】
魚介類を収納した収納空間Ｒ内に入れられる蓋体２０は、紙や合成樹脂を材料として、図２に示したような状態ものに形成されるものであり、基板２１と、これに対して折曲されて、各側壁１２の内面と略同じ大きさを有して互いに対向することになる少なくとも一対の脚板２２とからなるものであるが、使用する前では、図２に示したような平板状のものである。このため、使用する前の蓋体２０は、デッドスペースを発生させることなく、大量に積み重ねておくことができるものとなっているものである。
【００６７】
勿論、この蓋体２０においては、これが組み立てられる前に、その基板２１や脚板２２の適宜箇所に、図１に示すような、産地や内容を示す表示である印刷２５が付される。この印刷２５は、図１に示したように、冷凍保管用容器１０の側板１１から透けて見えるものとなるから、冷凍保管用容器１０には何等の加工・印刷も施す必要はないのである。
【００６８】
この蓋体２０を使用するには、まず、各脚板２２を折線２２ａにて同一方向に折り込み、これらの各脚板２２を、魚介類が収納されて小蓋１３が折り込まれていない冷凍保管用容器１０の各側壁１２の内側に差し込むのである。この脚板２２は、各側壁１２の内面と略同じ大きさを有しているから、当該蓋体２０の基板２１は、小蓋１３の下面に位置し得るとともに、魚介類を囲みながら冷凍保管用容器１０内に収納されることになるものである。なお、この蓋体２０を冷凍保管用容器１０内に収納した後には、小蓋１３をヒンジ１４を介して折り込み、各係合突起１３ａ・１８ａを利用して固定するのである。
【００６９】
この蓋体２０は、冷凍保管用容器１０上を覆うことになるから、冷凍保管用容器１０内に収納した魚介類は保護されるだけでなく、各側壁１２の内面と略同じ大きさを有してこれに対向する脚板２２によって、当該冷凍保管用容器１０上に載置される別の冷凍保管用容器１０の支えも行うことになるから、当該蓋体２０を使用した冷凍保管用容器１０の剛性を高めることにもなる。なお、この脚板２２に文字等の印刷２５をしておけば、この印刷２５は外部から透視できることになるから、当該冷凍保管用容器１０内の魚介類の産地表示や内容物表示を明確に行うことができることになる。
【００７０】
この蓋体２０については、その基板２１に覗き窓２４が形成してあるが、小蓋１３を外すことによってこの覗き窓２４から魚介類の状態を蓋体２０を外さないまま外部から視認できるようにしてある。勿論、本最良形態の冷凍保管用容器１０のように、これを透明または半透明の合成樹脂材料によって形成すれば、魚介類の状態視認を、小蓋１３を通して外部から、しかも一切の開封操作を行わないで実行できる。
【００７１】
また、この蓋体２０は、その基板２１に側壁１２上の凹部１９内に収納される突出部２３が形成してあり、この突出部２３を凹部１９内に収納して係合させることができるようにしてある。この蓋体２０を使用すれば、その各突出部２３によって、冷凍保管用容器１０の側壁１２と蓋体２０との間に形成されていた隙間が埋められ収納空間Ｒ内の魚介類の保護が行えるとともに、各脚板２２の支えともなる。
【００７２】
以上のようにして、冷凍保管用容器１０の収納空間Ｒ内に魚介類を詰め込み、その上から蓋体２０を被せてその上にさらに各小蓋１３を折り込んで、この小蓋１３を係合突起１３ａ・１８ａ等を利用して冷凍保管用容器１０側に固定すれば、必要な魚介類の収納は完成する。なお、本最良形態の冷凍保管用容器１０では、図１に示したように、魚介類及び蓋体２０を入れたものに対してしばりひも３０を掛けるという補強がなされる。
【００７３】
以上のようにした冷凍保管用容器１０は、その多数をリフト車等に積み重ね状態で載置して、冷凍冷蔵庫や市場等に運搬される。このとき、各冷凍保管用容器１０には、小蓋１３の嵌合凹所１６や、凹部１９等の脱落防止が施してあるから、運搬途中で落下したりせずに運搬できる。
【図面の簡単な説明】
【００７４】
【図１】本発明に係る蓋体を、冷凍保管用容器内に魚介類とともに入れ、全体にしばりひもを掛けた状態の斜視図である。
【図２】同冷凍保管用容器において使用されることのある蓋体の展開図である。
【図３】同蓋体が使用されるべき冷凍保管用容器の蓋体を入れていない状態を、左半分を底面として示した平面図である。
【図４】同蓋体が使用されるべき冷凍保管用容器の長辺側の、左半分を側面として示した縦断面図である。
【図５】同蓋体が使用されるべき冷凍保管用容器の短辺側の、左半分を側面として示した縦断面図である。
【図６】同蓋体が使用されるべき冷凍保管用容器の小蓋が側壁を中心に開閉される様子を示した部分断面図である。
【図７】同蓋体が使用されるべき冷凍保管用容器の二つを積み上げた状態を示す部分拡大断面図である。
【図８】従来の技術を示す斜視図である。
【図９】図８に示したものの展開図である。
【符号の説明】
【００７５】
１０    冷凍保管用容器
１１    底面
１１ａ  液汁流路
１１ｂ  水切穴
１２    側壁
１３    小蓋
１３ａ  係合突起
１４    ヒンジ
１５    枕部
１６    嵌合凹所
１７    フランジ部
１８    スカート部
１８ａ  係合突起
１９    凹部
２０    蓋体
２１    基板
２２    脚板
２３    突出部
２４    覗き窓
２５    印刷
３０    しばりひも
Ｒ    収納空間
【図１】
2006248551.tif 000003
【図２】
2006248551.tif 000004
【図３】
2006248551.tif 000005
【図４】
2006248551.tif 000006
【図５】
2006248551.tif 000007
【図６】
2006248551.tif 000008
【図７】
2006248551.tif 000009
【図８】
2006248551.tif 000010
【図９】
2006248551.tif 000011
【手続補正書】
【提出日】平成17年7月29日(2005.7.29)
【手続補正１】
【補正対象書類名】図面
【補正対象項目名】図１
【補正方法】変更
【補正の内容】
【図１】
2006248551.tif 000012
【手続補正２】
【補正対象書類名】図面
【補正対象項目名】図３
【補正方法】変更
【補正の内容】
【図３】
2006248551.tif 000013
【手続補正３】
【補正対象書類名】図面
【補正対象項目名】図４
【補正方法】変更
【補正の内容】
【図４】
2006248551.tif 000014